(57)【特許請求の範囲】
【請求項１】
床面内に、所定間隔をおいて小梁を並設すると共に、該小梁間には、床面内の床衝撃音の周波数帯域に含まれる周波数成分であって所定の床衝撃音基準値を超える周波数成分の振幅が最大になる重量床衝撃音振動振幅最大領域と、床振動の周波数帯域に含まれる周波数成分であって所定の振動レベルを超える周波数成分の振幅が最大になる床振幅最大領域との重複する領域に、前記床衝撃音を低減すべく所定の重量を有する錘兼用取付部材を取り付けると共に、該錘兼用取付部材には、床振動を吸収するための動吸振器を取付けることを特徴とする床構造。
【請求項２】
前記錘兼用取付部材は、鋼板製で、前記小梁に係止される耳部を有していることを特徴とする請求項１記載の床構造。
【請求項３】
前記錘兼用取付部材は、隣接される一対の前記小梁間に架橋されることにより、該小梁同士を連結することを特徴とする請求項１又は２記載の床構造。
【請求項４】
前記動吸振器には、板バネ部材と、該板バネ部材の前記錘兼用取付部材に対する取付部から所定距離離間配置された動吸振器錘部材とを有することを特徴とする請求項１乃至３のうち何れか一項記載の床構造。
【請求項５】
前記錘兼用取付部材は、略ボックス状の収納箱であって、前記動吸振器錘部材を収納することを特徴とする請求項１乃至４のうち何れか一項記載の床構造。
【請求項６】
前記床面には、長辺側に設けられた少なくとも一対の床大梁と、上面床板材とを有する矩形枠体に、所定間隔をおいてスライド移動可能に複数の小梁が並設されると共に、隣接される一対の前記小梁間に、前記錘兼用取付部材を架橋して該小梁同士を連結することを特徴とする請求項１乃至５記載の床構造。
【発明の詳細な説明】
【０００１】
【発明の属する技術分野】
本発明は、主に、衝撃により発生して比較的高周波数を有する重量床衝撃音対策と比較的低周波数の床振動対策とを同時に行うことが出来る床構造に関するものである。
【０００２】
【従来の技術】
従来の床構造としては、例えば、図６に示す特開昭６１−１０６６４号公報に記載されているようなものが知られている。
【０００３】
このようなものでは、コンクリート床面１上に、クッションゴム２を敷設すると共に、このクッションゴム２の上に、略台形或いは略矩形波状に連続形成された屈曲薄鋼板３を取付け、合板等の下地４とフローリング表面材５とを支持するように構成されている。
【０００４】
このように構成された従来のものでは、均質な弾性によって所望の防音性能を得ることが出来るものである。
【０００５】
また、図７に示す特開平８−１３６８５号公報に記載されたものでは、床表面の平板部材６を支持する曲面パネル板７が、素材鋼板のＸＹ方向に規則的に３次元曲面を有する突起７ａ，７ａを複数形成して構成されている。
【０００６】
このような従来のものでは、突起７ａ，７ａ間のピッチａを狭めることにより、この曲面パネル板７の剛性を向上させて、衝撃により発生する重量床衝撃音を低減させることができるものである。
【０００７】
更に、図８に示す特開平５−３０２６４３号公報に記載されたものでは、床を構成する断面略コ字状の鋼製枠又は鋼製桟８の内側に動吸振器９が設けられている。
【０００８】
この動吸振器９は、主に、板バネ部材９ａと、この板バネ部材９ａの両端部に設けられる錘部材９ｂ，９ｂとから主に構成されて、両錘部材９ｂ，９ｂの略中央部が、前記鋼製枠又は鋼製桟８の内側の下辺部８ｂに、取付部材９ｃを介して固定されていて、この動吸振器９の固有振動数が、床パネル部材の固有振動数と等しくなるように設定されている。
【０００９】
また、図９に示す実開平７−１１６１３号公報に記載されたものでは、更に、動吸振器９を覆うカバー体１０が、別途設けられている。
【００１０】
このように構成された前記図８又は図９記載の従来のものでは、前記動吸振器９の固有振動数が、床パネル部材の固有振動数と等しくなるように設定されているので、この床パネル部材に加えられた振動エネルギが、動吸振器９に移動して熱エネルギに変換され大気に放出される。
【００１１】
このため、比較的低周波数を有する床振動が低減して、振動による不快な振動音を減少させることが出来る。
【００１２】
図１０に示す重量床衝撃音の測定例では、６３ヘルツオクターブバンド周波数成分がＬ６５（Ｌ７５〜Ｌ３５：床衝撃音基準値、以下同様に記す）の性能評価曲線を越えて、Ｌ７０という評価になっている。
【００１３】
この６３ヘルツオクターブバンド周波数成分の源となっている床振動は、図１１に示すような振動パターンを床面板部材毎に有している。
【００１４】
一方、図１２に示す床振動の測定例では、３１．５ヘルツ成分が、基準レベルＬ０を約５デシベル越えている。
【００１５】
この３１．５ヘルツオクターブバンド周波数成分の源となっている床振動は、図１３に示すような振動パターンを床面板部材毎に有している。
【００１６】
【発明が解決しようとする課題】
しかしながら、このような従来の床構造では、図１０，１１に示されるような重量床衝撃音低減対策として、床剛性を向上させるため、図６に示す従来例のように床を構成する部材の断面形状や寸法を変更することは、困難であった。特に、工業化住宅では、工場の生産ラインの既存の製造設備の変更を行わなければならず、製造コストの上昇に繋がるので制約を受ける場合があった。
【００１７】
また、図７に示す従来例のように、ピッチａを狭く設定して面密度を増加させる構成では、ピッチａの減少と共に曲面パネル板７の重量が、増大してしまうといった問題があり、工場、搬送時、施工現場或いはストックヤードでの取り扱いの悪化を招いてしまう虞があった。
【００１８】
更に、図８に示すような動吸振器９を鋼製桟８等に設ける床構造では、図１２，１３に示す比較的低周波数の振動を吸収するため動吸振器９を設けているが、床剛性向上等のための部品が別途必要となり部品点数が増大すると共に、取付工数が増大してしまうといった問題があった。
【００１９】
また、断面略コ字状の鋼製枠又は鋼製桟８の内側の下辺部８ｂに動吸振器９を取り付けている為、鋼製枠又は鋼製桟８の延設方向に沿う位置に、動吸振器９の取付位置が限定されてしまう。このため、床平面内で最も吸収効率が高い領域内に設置出来ない場合が有り、前記動吸振器９の振動吸収性能を高効率で発揮させることは困難であった。
【００２０】
そこで、本発明は、上記従来技術の問題を解決するためになされたものであって、重量の増大を抑制して、取付性が良好であると共に、問題となる振動周波数の振動を効率よく吸収することができる床構造を提供することを目的としている。
【００２１】
【課題を解決するための手段】
上記課題を解決するために、請求項１記載の発明は、床面内に、所定間隔をおいて小梁を並設すると共に、該小梁間には、床面内の床衝撃音の周波数帯域に含まれる周波数成分であって所定の床衝撃音基準値を超える周波数成分の振幅が最大になる重量床衝撃音振動振幅最大領域と、床振動の周波数帯域に含まれる周波数成分であって所定の振動レベルを超える周波数成分の振幅が最大になる床振幅最大領域との重複する領域に、前記床衝撃音を低減すべく所定の重量を有する錘兼用取付部材を取り付けると共に、該錘兼用取付部材には、床振動を吸収するための動吸振器を取付けることを特徴としている。
【００２２】
このように構成された請求項１記載のものでは、重量床衝撃音振動振幅最大領域と、床振動の周波数帯域に含まれる床振幅最大領域との重複する領域に、動吸振器を取付けた錘兼用取付部材が、取り付けられて設けられているので、従来の金属製の鋼製枠又は鋼製桟の位置に拘束されることなく、床面内の床衝撃音の床振幅最大領域及び床振動の床振幅最大領域との双方が、最も効率良く吸収される位置に動吸振器を設置出来る。
【００２３】
また、前記錘兼用取付部材は、錘兼用となるように所定重量を有しているので、前記動吸振器の自重と共に、重量床衝撃音の緩和に寄与する。
【００２４】
このため、少ない部品点数で、少ない工数で設置出来、床の重量の増大を抑制しつつ、問題となる振動周波数の振動を効率よく吸収することができる。
【００２５】
また、請求項２に記載されたものでは、前記錘兼用取付部材は、鋼板製で、前記小梁に係止される耳部を有している請求項１記載の床構造を特徴としている。
【００２６】
このように構成された請求項２記載のものでは、前記耳部を前記小梁に係止するだけで、剛性向上、重量増加に寄与する錘兼用取付部材の床面への取付が略完了する。このため、更に取付作業性が良好である。
【００２７】
更に、請求項３記載のものでは、前記錘兼用取付部材は、隣接される一対の前記小梁間に架橋されることにより、該小梁同士を連結する請求項１又は２に記載の床構造を特徴としている。
【００２８】
このように構成された請求項３記載のものでは、隣接される一対の前記小梁間に架橋されることにより、該小梁同士が連結される。
【００２９】
このため、該連結された一対の小梁が、該錘兼用取付部材を挟んで一体となり、更に、前記床面の剛性を向上させることが出来る。
【００３０】
また、請求項４に記載されたものでは、前記動吸振器には、板バネ部材と、該板バネ部材の前記錘兼用取付部材に対する取付部から所定距離離間配置された動吸振器錘部材とを有する請求項１乃至３記載の床構造を特徴としている。
【００３１】
このように構成された請求項４記載のものでは、前記動吸振器には動吸振器錘部材が、板バネ部材の前記錘兼用取付部材に対する取付部から所定距離離間配置されているので、床振動の周波数帯域に含まれる床振幅最大領域に配設された動吸振器が、床振動エネルギを熱エネルギに変換して大気中に放出する。
【００３２】
このように、前記錘兼用取付部材の装着と同時に、床振動を吸振する該動吸振器の装着も行え、別途部品を設ける必要も無いので、取付作業性が良好である。
【００３３】
更に、請求項５に記載されたものでは、前記錘兼用取付部材は、略ボックス状の収納箱であって、前記動吸振器錘部材を収納する請求項１乃至４のうち何れか一項記載の床構造を特徴としている。
【００３４】
このように構成された請求項５記載のものでは、前記錘兼用取付部材が、略ボックス状の収納箱であって、前記動吸振器錘部材が収納されているので、予め収納を行っておくことにより、前記錘兼用取付部材を取り付ける一工程で施工が略完了する。
【００３５】
そして、請求項６に記載されたものでは、前記床面には、長辺側に設けられた少なくとも一対の床大梁と、上面床板材とを有する矩形枠体に、所定間隔をおいてスライド移動可能に複数の小梁が並設されると共に、隣接される一対の前記小梁間に、前記錘兼用取付部材を架橋して該小梁同士を連結する請求項１乃至５記載の床構造を特徴としている。
【００３６】
このように構成された請求項６記載のものでは、隣接される一対の前記小梁間に、前記錘兼用取付部材が架橋されて、該小梁同士が連結されるので、矩形枠体の剛性が更に向上する。しかも、小梁は、所定間隔をおいてスライド移動可能に設けられているので、前記錘兼用取付部材の取付位置の自由度が向上し、所望の領域内に位置させて、問題となる振動周波数の振動を効率良く吸収させることができる。
【００３７】
【発明の実施の形態１】
以下、本発明の実施の形態１について図面を参照しながら詳細に説明する。なお、前記従来のものと同一乃至均等な部分については、同一符号を付して説明する。
【００３８】
図１乃至図４は、この実施の形態１の床構造を示すものである。
【００３９】
まず、この実施の形態１の床構造を説明すると、ユニット建物を構成する建物ユニットが、鋼製のフレーム枠体で骨格部を構成されて、床部の四辺に配設されて矩形枠体を構成する床大梁のうち、長辺側に設けられた一対の床大梁間には、所定間隔をおいて複数の小梁１１，１１が、床面１２内に位置するように並設されている。これらの小梁は、図１中白抜き矢印に示すように、前記長辺側の床大梁延設方向に沿って所望の位置に固定可能である。
【００４０】
また、この床面１２上面部には、複数の上面床板材が設けられている。そして、これらの複数の建物ユニットが組み合わせられて、例えば、４つの建物ユニットが組み合わせられて、略田の字状に敷設されることにより、中央部に柱材を設けない大空間が形成される。
【００４１】
これらの小梁１１，１１間には、一上面床板材当たり２個、すなわち、一床面１２内に、合計８カ所に、動吸振器１３を収納する錘兼用取付部材１４…が設けられている。
【００４２】
この実施の形態１では、これらの錘兼用取付部材１４…配設位置が、床面１２内の床衝撃音の周波数帯域に含まれる重量床衝撃音振動振幅最大領域と、床振動の周波数帯域に含まれる床振幅最大領域とが重複する領域内に位置するように設定されている。
【００４３】
すなわち、前記錘兼用取付部材１４は、略ボックス形状を呈する鋼板製の収納箱部１５が、上辺部材１６及び下辺部材１７を、前記小梁１１，１１を挟んで上下方向から嵌合させることにより形成されている。この実施の形態１では、これらの上辺部材１６及び下辺部材１７の合計質量が、約１０ｋｇとなるように設定されている。
【００４４】
この収納箱部１５のうち、上辺部材１６には、略矩形平板状の上辺本体１６ａから下方に向けて前，後辺部１６ｂ，１６ｃが、屈曲形成されている。また、下辺部材１７には、矩形平板状の下辺本体１７ａから上方に向けて前，後辺部１７ｂ，１７ｃが、屈曲形成されている。
【００４５】
そして、これらの前，後片部１７ｂ，１７ｃは、前記前，後辺部１６ｂ，１６ｃに一部重複されて装着されて、前記動吸振器１３が設けられる空間を略閉塞するように構成されている。
【００４６】
また、この収納箱部１５の前記小梁側１１，１１側両端縁からは、各々一対の耳部１８，１８及び１９，１９が突設されている。これらの耳部１８，１８には、各々左，右側片部２０，２０が一対、下方向に向けて、屈曲形成されている。
【００４７】
更に、前記耳部１９，１９からは、各々左，右側片部２１，２１が一対、上方向に向けて、屈曲形成されている。そして、前記上，下辺部材１６，１７が嵌合された状態で、これらの小梁１１，１１に耳部１８，１９が上下方向から係止されて、これらの各左，右側片部２０，２１が、先端縁の一部を重複させる。
【００４８】
これらの重複部分は、前記小梁１１，１１の側面部に、各取付孔２０ａ，２０ａ及び２１ａ，２１ａを介して挿通されるリベット２２，２２が用いられて固定されて、隣接される一対の前記小梁１１，１１間に、この錘兼用取付部材１４が、架橋されることにより、小梁１１，１１同士が連結されるように構成されている。
【００４９】
また、前記動吸振器１３には、長尺平板形状の板バネ部材２３が設けられている。この板バネ部材２３のうち、略中央部下面側には、前記錘兼用取付部材１４の下辺部材１７の下辺本体１７ａに対して取り付けられる取付部材座部２４が設けられている。
【００５０】
この取付部材座部２４は、下方から取付孔２７を介して挿通されるリベット２５によって前記下辺本体１７ａに固着されるように構成されている。
【００５１】
前記板バネ部材２３の両側端縁上面には、この取付部材座部２４から所定距離離間配置されて、一対の動吸振器錘部材２６，２６が設けられている。この実施の形態１では、一つの動吸振器錘部材２６の重さが約１．５〜６ｋｇとなるように設定されている。
【００５２】
次に、この実施の形態１の床構造の作用について説明する。
【００５３】
前記図９に示す重量床衝撃音の測定例では、６３ヘルツオクターブバンド周波数成分がＬ６５（Ｌ７５〜Ｌ３５：床衝撃音基準値、以下同様に記す）の性能評価曲線を越えて、Ｌ７０という評価になっている。
【００５４】
この６３ヘルツオクターブバンド周波数成分の源となっている床振動は、図１０に示すような振動パターンを有している。
【００５５】
一方、図１１に示す床振動の測定例では、３１．５ヘルツ成分が、基準レベルＬ０を約５デシベル越えている。
【００５６】
この３１．５ヘルツオクターブバンド周波数成分の源となっている床振動は、図１２に示すような振動パターンを有している。
【００５７】
これらの測定結果より、図２に示されるように、６３ヘルツオクターブバンド周波数成分の振動パターンと、３１．５ヘルツオクターブバンド周波数成分の振動パターンとにおける振動振幅最大位置が一致する領域ａ，ｂが存在することが分かる。
【００５８】
これらの領域ａ，ｂにおける床の等価質量は、６３ヘルツ振動でも、３１．５ヘルツ振動でも最小となる。例えば、前記図９等の測定対象となった床は、前記振動振幅最大位置における床の等価質量は、６３ヘルツ振動で７５ｋｇ、３１．５ヘルツ振動で、３１６ｋｇである。
【００５９】
なお、前記振動振幅最大位置から離間した位置では、これらの等価質量が増大する。
【００６０】
従って、重量床衝撃音６３ヘルツオクターブバンド周波数成分を３デシベル低減できれば、床衝撃音基準値をＬ６５まで改善できる。
【００６１】
このため、下記数式１に示す床衝撃音改善量△ＬＳ（数式１中、Ｍは前記振幅最大位置における床の等価質量を示し、添え字０は改善前、添え字１は改善後を示す）から等価質量を２倍にすることにより３デシベル低減できる。即ち、錘兼用取付部材１４を図２中■印で示したように領域ａ，ｂ内に床１枚につき２個（４枚につき合計８個）設置するとして、１個１０ｋｇの錘設置により錘質量総和が８０ｋｇとなり、（Ｍ１＝１５５ｋｇ）、目標が達成される。
【００６２】
【数１】
0003707596.tif 000002
【００６３】
また、質量ｍの動吸振器錘部材２６を有する動吸振器１３を前記振幅最大位置である領域ａ，ｂに設置した場合に床振動改善量△ＬＶは、下記数式２で表される。
【００６４】
ここで、μは前記動吸振器１３の動吸振器錘部材２６，２６の合計質量ｍと、動吸振器１３設置位置における床の等価質量との質量比を示し、ηは床の損失係数を示している。このηは、不変であるので、μが大きくなるほど床振動を低減できる。
【００６５】
【数２】
0003707596.tif 000003
【００６６】
この実施の形態１では、床の損失係数ηが約０．０８であり、所望の床振動低減量が５デシベルであるとすると、上記数式２から質量比μを０．０４に設定すればよいことが分かる。
【００６７】
このため、この実施の形態１では、前記動吸振器１３を図２中○印で示したように錘兼用取付部材１４に収納させて、床１枚あたり２個（４枚あたり合計８個）設置するとして、１個約１．５〜６ｋｇの動吸振器錘部材２６を一対設けて動吸振器１３が設置されている。  このように動吸振器１３を、前記錘兼用取付部材１４に収納させて取り付ければ、前記上，下辺部材１６，１７とこの動吸振器１３との合計質量は約１３ｋｇとなり、（μ＝１３／３１６＝０．０４）、床振動低減量５デシベルが達成される。
【００６８】
この実施の形態１では、従来の金属製の鋼製枠又は鋼製桟の位置に拘束されることなく、前記両側の小梁１１，１１を、他の小梁１１と干渉させないように、図１中白抜き矢印で示す方向へ長辺側の床大梁延設方向に沿って移動させると共に、前記小梁１１，１１長手延設方向に沿って係止された前記耳部１８，１９を、矢印と直交する方向にスライド移動させることにより、床面１２内での殆どの位置、例えば、重量床衝撃音振動振幅最大領域と、床振動の周波数帯域に含まれる床振幅最大領域との重複する領域ａ，ｂに、この動吸振器１３を収納した錘兼用取付部材１４を固定して設けることが出来る。
【００６９】
従って、前記床面１２内の床衝撃音の床振幅最大領域及び床振動の床振幅最大領域との双方が、最も効率良く吸収される領域ａ，ｂ内位置に動吸振器１３を効率よく設置出来る。
【００７０】
また、前記錘兼用取付部材１４は、錘兼用となるように、鋼板製の収納箱部１５を前記上辺部材１６及び下辺部材１７によって主に構成されて、所定重量（合計約８０ｋｇ）を有しているので、前記動吸振器１３の自重（合計約１３ｋｇ）と共に、重量床衝撃音の緩和に寄与する。
【００７１】
このため、従来のように密度の大きな板を積層等する必要が無く、床の重量の増大を抑制しつつ、問題となる比較的高周波数の振動周波数（例えば、６５ヘルツオクターブバンド周波数成分）の振動を効率よく吸収し、図３に示すようにＬ６５床衝撃音基準を達成することができる。
【００７２】
また、前記錘兼用取付部材１４には、一体に収納された動吸振器１３が、動吸振器錘部材２６，２６を、板バネ部材２３の前記錘兼用取付部材１４に対する取付部材座部２４から所定距離離間配置させて取付けられているで、床振動の周波数帯域に含まれる床振幅最大領域ａ，ｂに配設されたこの動吸振器１３が、床振動エネルギを熱エネルギに変換して大気中に放出する。
【００７３】
このため、比較的低周波数の床振動が低減し、図４に示されるように、３１．５ヘルツオクターブバンド周波数成分近傍の騒音も、基準レベルＬ０を殆ど越えることはない。
【００７４】
このように、前記錘兼用取付部材１４の装着と同時に、床振動を吸振する動吸振器１３の装着も行え、別途部品を設ける必要も無いので、取付作業性が良好である。
【００７５】
そして、この錘兼用取付部材１４では、略ボックス形状を呈する収納箱部１５から突設された耳部１８，１８及び１９，１９を前記小梁１１，１１に係止して、前記リベット２２を用いて固定するだけで、動吸振器１３が収納された錘兼用取付部材１４の床面１２への取付が略完了する。このため、更に取付作業性が良好である。
【００７６】
更に、前記耳部１８，１８が、前記収納箱部１５の両端縁部から突設されて、隣接される一対の前記小梁１１，１１間に架橋されることにより、これらの小梁１１，１１同士が連結される。
【００７７】
このため、連結された一対の小梁１１，１１が、この鋼板製の錘兼用取付部材１４を挟んで一体となり、更に、前記床面１２の剛性を向上させることが出来る。
【００７８】
【実施の形態２】
図５は、この実施の形態２の床構造を示すものである。なお、前記実施の形態1と同一乃至均等な部分については同一符号を付して説明する。
【００７９】
まず、構成を説明すると、この実施の形態２の床構造では、上辺部材１６のみで、前記動吸振器１３を収納する収納箱部１５を形成している。即ち、錘兼用取付部材としての上辺部材１６の上辺本体１６ａ裏面側には、前記動吸振器１３がリベット２５で、垂下するように取り付けられ、一体となるように収納されて、対向辺側である下方を開放するように構成されている。
【００８０】
他の構成及び作用については、前記実施の形態１と同様であるので、説明を省略する。
【００８１】
以上、本発明の実施の形態１，２を説明してきたが、本発明は、前記実施の形態１，２に限定されるものではなく、本発明の要旨を逸脱しない範囲の設計変更等があっても本発明に含まれる。
【００８２】
例えば、下辺部材１７に前記動吸振器１３を一体となるように収納して、対向辺側をである上方を開放するように構成しても良く、また、前記実施の形態１では、下辺本体１６ｂの略中央部に前記取付部材座部２４を介して、単体の前記動吸振器１３を固着させるように構成しているが、特にこれに限らず、例えば、前，後辺部１７ｂ，１７ｃ等に近接させて、この動吸振器１３を固着させる等、動吸振器１３の取付位置が、下辺本体１７のどの位置であってもよく、しかも、この動吸振器１３の数量も、１個の前記錘兼用取付部材１４あたりの２個以上の複数個であってもよい。
【００８３】
【発明の効果】
以上説明してきたように、請求項１記載のものでは、重量床衝撃音振動振幅最大領域と、床振動の周波数帯域に含まれる床振幅最大領域との重複する領域に、動吸振器を取付けた錘兼用取付部材が、取り付けられて設けられているので、従来の金属製の鋼製枠又は鋼製桟の位置に拘束されることなく、床面内の床衝撃音の床振幅最大領域及び床振動の床振幅最大領域との双方が、最も効率良く吸収される位置に動吸振器を設置出来る。
【００８４】
また、前記錘兼用取付部材は、錘兼用となるように所定重量を有しているので、前記動吸振器の自重と共に、重量床衝撃音の緩和に寄与する。
【００８５】
このため、少ない部品点数で、少ない工数で設置出来、床の重量の増大を抑制しつつ、問題となる振動周波数の振動を効率よく吸収することができる。
【００８６】
また、請求項２に記載されたものでは、前記耳部を前記小梁に係止するだけで、剛性向上、重量増加に寄与する錘兼用取付部材の床面への取付が略完了する。このため、更に取付作業性が良好である。
【００８７】
更に、請求項３記載のものでは、隣接される一対の前記小梁間に架橋されることにより、該小梁同士が連結される。
【００８８】
このため、該連結された一対の小梁が、該錘兼用取付部材を挟んで一体となり、更に、前記床面の剛性を向上させることが出来る。
【００８９】
また、請求項４に記載されたものでは、前記動吸振器には動吸振器錘部材が、板バネ部材の前記錘兼用取付部材に対する取付部から所定距離離間配置されているので、床振動の周波数帯域に含まれる床振幅最大領域に配設された動吸振器が、床振動エネルギを熱エネルギに変換して大気中に放出する。
【００９０】
このように、前記錘兼用取付部材の装着と同時に、床振動を吸振する該動吸振器の装着も行え、別途部品を設ける必要も無いので、取付作業性が良好である。
【００９１】
更に、請求項５に記載されたものでは、前記錘兼用取付部材が、略ボックス状の収納箱であって、前記動吸振器錘部材が収納されているので、予め収納を行っておくことにより、前記錘兼用取付部材を取り付ける一工程で施工が略完了する。このように、前記錘兼用取付部材の装着と同時に、床振動を吸振する動吸振器の装着も行え、別途部品を設ける必要も無いので、取付作業性が良好である。
【００９２】
そして、請求項６に記載されたものでは、隣接される一対の前記小梁間に、前記錘兼用取付部材が架橋されて、該小梁同士が連結されるので、矩形枠体の剛性が更に向上する。しかも、小梁は、所定間隔をおいてスライド移動可能に設けられているので、前記錘兼用取付部材の取付位置の自由度が向上し、所望の領域内に位置させて、問題となる振動周波数の振動を効率良く吸収させることができる、という実用上有益な効果を発揮する。
【図面の簡単な説明】
【図１】本発明の実施の形態１である床構造の構成を説明する分解斜視図である。
【図２】本発明の実施の形態１の床構造で、重複する領域を説明するグラフ図である。
【図３】本発明の実施の形態１の床構造で、吸振効果により、重量床衝撃音等級のうち、いづれの等級まで改善されているかを示すグラフ図である。
【図４】本発明の実施の形態１の床構造で、吸振効果により得られる床振動のグラフ図である。
【図５】本発明の実施の形態２である床構造の構成を説明する分解斜視図である。
【図６】一従来例の床構造で要部の垂直断面図である。
【図７】他の従来例の床構造で、分解斜視図である。
【図８】その他の従来例の床構造で、動吸振器取付位置近傍の斜視図である。
【図９】更にその他の従来例の床構造で、動吸振器取付位置近傍の斜視図である。
【図１０】一般的な床構造で、重量床衝撃音等級のうち、いづれの等級に位置するかを示すグラフ図である。
【図１１】一つの建物ユニットの床構造で、６３ヘルツオクターブバンド周波数成分での床振動パターンを示す解析図である。
【図１２】一般的な床構造で、床振動の測定結果を示すグラフ図である。
【図１３】一つの建物ユニットの床構造で、３１．５ヘルツオクターブバンド周波数成分での床振動パターンを示す解析図である。
【符号の説明】
１１，１１      小梁
１２            床面
１３            動吸振器
１４            錘兼用取付部材
１５            収納箱部（収納箱）
１６            上辺部材
１７            下辺部材
１８，１９      耳部
２３            板バネ部材
２４            取付部（取付部材座部）
２６，２６      動吸振器錘部材
【図１】
0003707596.tif 000004
【図２】
0003707596.tif 000005
【図３】
0003707596.tif 000006
【図４】
0003707596.tif 000007
【図５】
0003707596.tif 000008
【図６】
0003707596.tif 000009
【図７】
0003707596.tif 000010
【図８】
0003707596.tif 000011
【図９】
0003707596.tif 000012
【図１０】
0003707596.tif 000013
【図１１】
0003707596.tif 000014
【図１２】
0003707596.tif 000015
【図１３】
0003707596.tif 000016